(57)【要約】【課題】  棚卸などの所定の場所に置かれる物品が全部あるかないものは何かなど、きめ細かく管理することが可能で廉価な、物品管理システムを提供すること。【解決手段】  本棚１１の各棚１２には、書籍１３が収納されており、これらの書籍１３のおのおのには、書籍無線タグ１４が付され、書籍１３の入れられた各々の棚１２の前面には、棚無線タグ１５が固定され、書籍無線タグ１４及び棚無線タグ１５信号との無線信号の送受信は、直接、例えば円筒状のダイポールアンテナ１６との間でなされる。また、ダイポールアンテナ１６には、信号の授受を行うリーダライタ１７が接続され、このリーダライタ１７には書籍管理を行うアプリケーションソフトが予めインストールされたパソコン１８が接続され、このパソコン１８には書籍管理データベース１９が接続される。【選択図】図１
2005350205.tif 000002
【特許請求の範囲】
【請求項１】
第１の無線タグを付された複数の物品と、
これらの物品を収容する複数の棚を有し、各棚に第２の無線タグを付された物品収容体と、
前記第１の無線タグ及び前記第２の無線タグと無線により信号の送受信を行うアンテナと、
このアンテナに接続され、前記第１の無線タグに記憶されている前記物品の属性情報と前記第２の無線タグに記憶されている棚の場所に関する属性情報を前記第１の無線タグの識別ＩＤに対応して記憶するデータベースと、
前記アンテナに接続され前記データベースに記憶されるデータを処理するコンピュータと、
を備えて成ることを特徴とする物品管理システム。
【請求項２】
第１の無線タグを付された複数の物品と、
これらの物品を収容する複数の棚を有し、各棚に第２の無線タグを付された物品収容体と、
前記第１の無線タグ及び前記第２の無線タグと無線により信号の送受信を行うダイポールアンテナと、
このダイポールアンテナに接続され前記第１の無線タグと前記第２の無線タグに書き込まれている情報を読み取りあるいは前記第１の無線タグと前記第２の無線タグに情報を書き込むリーダライタと、
このリーダライタと情報の授受を行うコンピュータと、
このコンピュータに接続されたデータベースと、
を備えて成り、
前記第１の無線タグには、この無線タグが付された前記物品を特定する第１の属性情報が書き込まれ、前記第２の無線タグには、この無線タグが付された前記棚の場所に関する第２の属性情報が書き込まれており、
前記データベースには、前記第１の無線タグの識別ＩＤに対応して、前記第１の属性情報及び前記第２の属性情報が記憶されてなることを特徴とする物品管理システム。
【請求項３】
前記第１の無線タグは前記物品に固定して設けられており、前記第１の無線タグには前記物品に固有の絶対属性情報が記憶されていることを特徴とする請求項１又は２記載の物品管理システム。
【請求項４】
前記第１の無線タグは前記物品が収納される容器に固定して設けられており、前記第１の無線タグには前記容器に収納される物品に固有の絶対属性情報が記憶されていることを特徴とする請求項１又は２記載の物品管理システム。
【請求項５】
前記データベースに記憶されたデータを用いて、前記物品に付された無線タグの識別ＩＤにより物品を検索し、この物品に関する前記第２の属性情報を得ることを特徴とする請求項１又は２記載の物品管理システム。
【請求項６】
前記データベースに記憶されたデータを用いて、前記物品に付された無線タグの識別ＩＤにより物品を検索し、この物品に関する入出庫の登録管理を行うことを特徴とする請求項１又は２記載の物品管理システム。
【請求項７】
前記データベースに記憶されたデータを用いて、前記物品に付された無線タグの識別ＩＤにより物品を検索し、この物品に関する棚卸の登録管理を行うことを特徴とする請求項１又は２記載の物品管理システム。
【請求項８】
前記リーダライタには、応答時に光を発する発光体又は応答時に音を発する音源を有することを特徴とする請求項２記載の物品管理システム。
【請求項９】
第１の無線タグを付された複数の物品と、
これらの物品を収容する複数の棚を有し、各棚に第２の無線タグを付された物品収容体と、
前記第１の無線タグ及び前記第２の無線タグと無線により信号の送受信を行うダイポールアンテナと、
前記複数の棚に各々設置され、前記ダイポールアンテナに接続され前記第１の無線タグと前記第２の無線タグに書き込まれている情報を読み取りあるいは前記第１の無線タグと前記第２の無線タグに情報を書き込む、複数のリーダライタと、
これら複数のリーダライタに接続され、情報の授受を行うコンピュータと、
このコンピュータに接続されたデータベースと、
を備えて成り、
前記第１の無線タグには、この無線タグが付された前記物品を特定する第１の属性情報が書き込まれ、前記第２の無線タグには、この無線タグが付された前記棚の場所に関する第２の属性情報が書き込まれており、
前記データベースには、前記第１の無線タグの識別ＩＤに対応して、前記第１の属性情報及び前記第２の属性情報が記憶されてなることを特徴とする物品管理システム。
【請求項１０】
第１の無線タグを付された複数の物品と、
これらの物品を収容する複数の棚を有し、各棚に第２の無線タグを付された物品収容体と、
前記第１の無線タグ及び前記第２の無線タグと無線により信号の送受信を行うダイポールアンテナと、
前記複数の棚に各々設置され、前記第１の無線タグと前記第２の無線タグに書き込まれている情報を読み取りあるいは前記第１の無線タグと前記第２の無線タグに情報を書き込む、複数のリーダライタと、
これら複数のリーダライタに接続され、情報の授受を行うコンピュータと、
このコンピュータに接続されたデータベースと、
前記複数のリーダライタに各々接続され、前記ダイポールアンテナと接続する線を着脱可能に、前記棚に設置された複数のアンテナコネクタと、
を備えて成り、
前記第１の無線タグには、この無線タグが付された前記物品を特定する第１の属性情報が書き込まれ、前記第２の無線タグには、この無線タグが付された前記棚の場所に関する第２の属性情報が書き込まれており、
前記データベースには、前記第１の無線タグの識別ＩＤに対応して、前記第１の属性情報及び前記第２の属性情報が記憶されてなることを特徴とする物品管理システム。
【請求項１１】
前記リーダライタは無線タグから読み取った情報を表示する表示部を有し、前記棚に収容可能に設けられることを特徴とする請求項９又は１０記載の物品管理システム。
【発明の詳細な説明】
【技術分野】
【０００１】
本発明は、書籍などの物品を管理する物品管理システムに関する。
【背景技術】
【０００２】
物品、例えば図書の貸し出し、返却を管理するシステムとしてＩＣタグを用いた図書管理システムが知られている（特許文献１参照）。これは、貸し出す図書及び図書館利用カードに非接触通信機能を有する非接触ＩＣタグを装着し、図書の貸し出し、返却の際に、ＩＣタグに記憶されている識別ＩＤをリーダライタで読み取らせることによって、図書の管理を行うものである。
【０００３】
しかし、このシステムでは、各物品が外部に出されているか否かは全体として検知できるが、棚卸しなどの場合など所定の場所に置かれる物品が全部あるか、ないものは何か、など物品を細かく管理することは困難である。
【０００４】
また、物品例えば書籍に無線タグを付けると共に書籍を格納する棚に上記書籍の情報を読み取るアンテナユニットを設けこれにより、書籍の付された無線タグにより識別ＩＤを認識して当該書籍の出し入れを管理する物品管理システムも知られている（特許文献２参照）。
【０００５】
この特許文献２のシステムにより各物品を細かく管理するには、のアンテナユニットを各棚に多く設ける必要があり、システムのコストが増加してしまう問題がある。
【特許文献１】特開２００３−８５３２９号公報
【特許文献２】特開２００３−７２９１９号公報
【発明の開示】
【発明が解決しようとする課題】
【０００６】
本発明は、上述のような従来の問題点に鑑みてなされたもので、棚卸などの所定の場所に置かれる物品が全部あるかないものは何かなど、きめ細かく管理することが可能で廉価な、物品管理システムを提供することを目的とする。
【課題を解決するための手段】
【０００７】
本発明の請求項１によれば、第１の無線タグを付された複数の物品と、これらの物品を収容する複数の棚を有し、各棚に第２の無線タグを付された物品収容体と、前記第１の無線タグ及び前記第２の無線タグと無線により信号の送受信を行うアンテナと、このアンテナに接続され、前記第１の無線タグに記憶されている前記物品の属性情報と前記第２の無線タグに記憶されている棚の場所に関する属性情報を前記第１の無線タグの識別ＩＤに対応して記憶するデータベースと、前記アンテナに接続され前記データベースに記憶されるデータを処理するコンピュータと、を備えて成ることを特徴とする物品管理システムを提供する。
【０００８】
本発明の請求項２によれば、第１の無線タグを付された複数の物品と、これらの物品を収容する複数の棚を有し、各棚に第２の無線タグを付された物品収容体と、前記第１の無線タグ及び前記第２の無線タグと無線により信号の送受信を行うダイポールアンテナと、このダイポールアンテナに接続され前記第１の無線タグと前記第２の無線タグに書き込まれている情報を読み取りあるいは前記第１の無線タグと前記第２の無線タグに情報を書き込むリーダライタと、このリーダライタと情報の授受を行うコンピュータと、このコンピュータに接続されたデータベースと、を備えて成り、前記第１の無線タグには、この無線タグが付された前記物品を特定する第１の属性情報が書き込まれ、前記第２の無線タグには、この無線タグが付された前記棚の場所に関する第２の属性情報が書き込まれており、前記データベースには、前記第１の無線タグの識別ＩＤに対応して、前記第１の属性情報及び前記第２の属性情報が記憶されてなることを特徴とする物品管理システムを提供する。
【０００９】
本発明の請求項３によれば、請求項１又は２記載の物品管理システムにおいて、前記第１の無線タグは前記物品に固定して設けられており、前記第１の無線タグには前記物品に固有の絶対属性情報が記憶されていることを特徴とする。
【００１０】
本発明の請求項４によれば、請求項１又は２記載の物品管理システムにおいて、前記第１の無線タグは前記物品が収納される容器に固定して設けられており、前記第１の無線タグには前記容器に収納される物品に固有の絶対属性情報が記憶されていることを特徴とする。
【００１１】
本発明の請求項５によれば、請求項１又は２記載の物品管理システムにおいて、前記データベースに記憶されたデータを用いて、前記物品に付された無線タグの識別ＩＤにより物品を検索し、この物品に関する前記第２の属性情報を得ることを特徴とする。
【００１２】
本発明の請求項６によれば、請求項１又は２記載の物品管理システムにおいて、前記データベースに記憶されたデータを用いて、前記物品に付された無線タグの識別ＩＤにより物品を検索し、この物品に関する入出庫の登録管理を行うことを特徴とする。
【００１３】
本発明の請求項７によれば、請求項１又は２記載の物品管理システムにおいて、前記データベースに記憶されたデータを用いて、前記物品に付された無線タグの識別ＩＤにより物品を検索し、この物品に関する棚卸の登録管理を行うことを特徴とする。
【００１４】
本発明の請求項８によれば、請求項２記載の物品管理システムにおいて、前記リーダライタには、応答時に光を発する発光体又は応答時に音を発する音源を有することを特徴とする。
【００１５】
本発明の請求項９によれば、第１の無線タグを付された複数の物品と、これらの物品を収容する複数の棚を有し、各棚に第２の無線タグを付された物品収容体と、前記第１の無線タグ及び前記第２の無線タグと無線により信号の送受信を行うダイポールアンテナと、前記複数の棚に各々設置され、前記ダイポールアンテナに接続され前記第１の無線タグと前記第２の無線タグに書き込まれている情報を読み取りあるいは前記第１の無線タグと前記第２の無線タグに情報を書き込む、複数のリーダライタと、これら複数のリーダライタに接続され、情報の授受を行うコンピュータと、このコンピュータに接続されたデータベースと、を備えて成り、前記第１の無線タグには、この無線タグが付された前記物品を特定する第１の属性情報が書き込まれ、前記第２の無線タグには、この無線タグが付された前記棚の場所に関する第２の属性情報が書き込まれており、前記データベースには、前記第１の無線タグの識別ＩＤに対応して、前記第１の属性情報及び前記第２の属性情報が記憶されてなることを特徴とする物品管理システムを提供する。
【００１６】
本発明の請求項１０によれば、第１の無線タグを付された複数の物品と、これらの物品を収容する複数の棚を有し、各棚に第２の無線タグを付された物品収容体と、前記第１の無線タグ及び前記第２の無線タグと無線により信号の送受信を行うダイポールアンテナと、前記複数の棚に各々設置され、前記第１の無線タグと前記第２の無線タグに書き込まれている情報を読み取りあるいは前記第１の無線タグと前記第２の無線タグに情報を書き込む、複数のリーダライタと、これら複数のリーダライタに接続され、情報の授受を行うコンピュータと、このコンピュータに接続されたデータベースと、前記複数のリーダライタに各々接続され、前記ダイポールアンテナと接続する線を着脱可能に、前記棚に設置された複数のアンテナコネクタと、を備えて成り、前記第１の無線タグには、この無線タグが付された前記物品を特定する第１の属性情報が書き込まれ、前記第２の無線タグには、この無線タグが付された前記棚の場所に関する第２の属性情報が書き込まれており、前記データベースには、前記第１の無線タグの識別ＩＤに対応して、前記第１の属性情報及び前記第２の属性情報が記憶されてなることを特徴とする物品管理システムを提供する。
【００１７】
本発明の請求項１１によれば、請求項９又は１０記載の物品管理システムにおいて、前記リーダライタは無線タグから読み取った情報を表示する表示部を有し、前記棚に収容可能に設けられることを特徴とする。
【発明の効果】
【００１８】
本発明によれば、棚卸しなど、所定の場所に置かれる物品が全部あるか、ないものは何かなど、きめ細かく管理することが可能で廉価な、物品管理システムが得られる効果がある。
【発明を実施するための最良の形態】
【００１９】
以下、本発明の実施形態について図面を用いて説明する。図１に本発明を書籍の管理に適用した一実施形態の全体の構成例を示す。本棚１１の各棚１２には、書籍１３が収納されており、これらの書籍１３のおのおのには、書籍無線タグ１４が付されている。書籍１３の入れられた各々の棚１２の前面には、棚無線タグ１５が固定される。
【００２０】
書籍無線タグ１４及び棚無線タグ１５信号との無線信号の送受信は、直接、例えば円筒状のダイポールアンテナ１６との間でなされる。このダイポールアンテナ１６には、ケーブル１６ｃを介して信号の授受を行うリーダライタ１７が接続され、このリーダライタ１７には書籍管理を行うアプリケーションソフトが予めインストールされたパーソナルコンピュータ（パソコン）１８がケーブル１６ｃを介して接続され、このパソコン１８には、書籍管理データベース１９が接続されている。
【００２１】
書籍の管理者など操作者は、予め各書籍１３のデータをパソコン１８から入力し、対応する書籍に貼り付けられた書籍無線タグ１４に記憶させると共に、この書籍無線タグ１４の書籍識別ＩＤをダイポールアンテナ１６とリーダライタ１７を介して読み取り、当該書籍の情報をこの書籍識別ＩＤと対応させて、書籍管理ＤＢ１９に記憶させる。棚無線タグ１５の棚識別ＩＤは、同様にダイポールアンテナ１６とリーダライタ１７を介して読み取られ、その棚に予め決められた置かれる分野の情報に対応されて、パソコン１８から書籍管理ＤＢ１９に記憶される。棚無線タグには、その棚に置かれるべき分野の情報が記憶されており、棚識別ＩＤに対するこの情報はパソコン１８に記憶されている。
【００２２】
上記実施形態におけるリーダライタ１７の構成例を図２に示す。このリーダライタ１７は、上記パソコン１８とケーブル１６ｃにより通信を主に行う制御回路２１と、ケーブル１６ｃにより接続されたダイポールアンテナ１６に接続されたケーブル１６ｃに回路接合部１７ｃで結合され、ダイポールアンテナ１６によって送受信を行って得られた信号の電気的処理を行う送受信回路２２と、外部電源と接続され上記制御回路２１や送受信回路２２などに電力を供給する電源回路２３と、制御回路２１に接続され応答発信時に光を外に発する発光ダイオード（ＬＥＤ）２４と、制御回路２１に接続され応答発信時に音を発するスピーカ２５とから成る。
【００２３】
図示していないが、ダイポールアンテナ１６はアンテナ素子とこのアンテナ素子を埋め込んだモールド部とから成り、上記アンテナ素子の回路接合部は、ケーブル１６ｃを介してリーダライタ１７の回路接合部１７ｃに接続されている。
【００２４】
以下、書籍や棚との関係を書籍管理ＤＢ１９に記憶させ、書籍の出し入れの管理を行うこの実施形態の動作を、フローチャートを示す図面を用いて説明する。
【００２５】
最初に、各書籍の名称、内容などの情報（属性）をこれに貼り付けられた書籍無線タグ１４に関連付けて書籍管理ＤＢ１９に記憶させる処理の手順を図３を用いて述べる。
【００２６】
Ｓ３００でスタートすると、ステップＳ３０１で、書籍識別ＩＤの読み込みを行うかそれとも書籍の属性（名称、内容など）の入力や修正を行うか入力モードの初期画面が表示される。
【００２７】
次のステップＳ３０２では、上記選択がなされるとほぼ同時に書籍識別ＩＤを読み込むための通信を開始する（ステップＳ３０３）。次のステップＳ３０４でエラーでキャンセルするかを選択する。
【００２８】
エラーでキャンセルする場合にはステップＳ３０５に行き、識別ＩＤの読み込みを再度行う一方、識別ＩＤの読み込みが完了するとステップＳ３０３からステップＳ３０６に移り、入力された識別ＩＤを画面上に表示する。必要ならその修正を行い（図示せず）、次のステップＳ３０７で書籍識別ＩＤがパソコン１８の記憶部（図示せず）に仮に保存される。ステップＳ３０８では続けて属性の入力を行うか問い、それの入力を行う場合にはステップＳ３０９で、属性の入力や修正を行う。この入力、修正が終わるとステップＳ３１０でパソコン１８の記憶部に仮に保存する。
【００２９】
ステップＳ３１１で、続けて識別ＩＤの読み込みを行うか問い、読み込むならば、上記ステップＳ３０３に移り、識別ＩＤを読み込む。
【００３０】
ステップＳ３０８あるいはステップＳ３１１において、これ以上継続して属性や識別ＩＤの入力を行わないときには、次のステップＳ３１２に移って先にパソコン１８に保存しておいた識別ＩＤや属性の情報を書籍管理ＤＢ１９に登録するかどうかを問う。
【００３１】
上記情報を書籍管理ＤＢ１９に登録する場合にはステップＳ３１３で書籍管理ＤＢ１９への登録を行う。このデータベースへの登録を行わないときには、ステップＳ３１４で入力を継続するかを問う。入力を継続する場合には再び、ステップＳ３０１に戻って入力の初期画面を表示する。入力を継続しない場合には入力を終了することになる。
【００３２】
上記入力動作の説明では、書籍識別ＩＤを入力した後、その属性を入力する場合について述べたが、ステップＳ３０２における入力モードの選択で、属性の入力を選択した場合にはステップＳ３０９に移って書籍の属性の入力を行うことができる。このように入力モードでは識別ＩＤと属性の入力モードを切り替えることができる。
【００３３】
また、ステップＳ３０５において識別ＩＤの入力を継続しないときには、ステップＳ３１４に移り入力を終了するか問われることになる。ここで属性の入力を行いたい場合には、ステップＳ３０１で初期画面に行き、ステップＳ３０２で属性入力の選択を行えばよい。
【００３４】
このようにパソコンなどから入力することにより、書籍管理ＤＢ１９には、図４に示すように書籍識別ＩＤに対応して、その書籍に関する情報を属性としてデータベースとして登録することができる。図４において、４１は、書籍の通し番号、４２ａは、書籍に貼り付けた書籍無線タグの識別ＩＤ（書籍識別ＩＤ）の情報、４２ｂは、本棚１１の各棚１２に貼り付けた棚無線タグの識別ＩＤ（棚識別ＩＤ）の情報、４３ａは書籍を格納する本棚やフロアの書籍の場所情報、４３ｂはその書籍が置かれる本棚における棚番号である。４４は書籍の名称、４５は当該書籍の著者、編集者など作成者の情報、４６はその書籍の価格情報、４７は入庫日などの情報、４８は出庫日などの情報である。
【００３５】
このように、書籍識別ＩＤに対応してその書籍に関する情報が書籍管理ＤＢに記憶されることになる。また、同様にして本棚１１の各棚１２についても棚識別ＩＤに対応して棚の情報がＤＢに記憶される。
【００３６】
ところで、各書籍の書籍識別ＩＤにより、その書籍の属性が書籍管理データベースに記憶されるが、この書籍の属性には、書籍の名称や内容など、ほとんど変わることがない絶対属性情報と、どの本棚のどの棚にあるかなど、変えられることがある、相対属性情報がある。後者の相対属性情報は、本棚の棚に付された棚無線タグ１５によってその棚に収納される予定の書籍の分野（この分野と本棚の位置とは対応している）との関係で、ダイポールアンテナ１６を介して、リーダライタ１７に読み取られてその書籍がどの場所に置かれるべきか判断されて上記書籍管理ＤＢ１９に記憶される。
【００３７】
次に、上述のように書籍識別ＩＤに対して書籍の属性が記憶された書籍管理ＤＢを用いて、書籍の置かれている棚を検索する処理について図５を用いて説明する。まずスタートするとステップＳ５０１においてパソコン１８上で検索のための初期画面が表示される。この画面においてステップＳ５０２で検索条件が入力される。この検索条件は、通常、書籍の名称や内容、著者、発行者、など各書籍自体が有し、ほとんど変わることのない上述のような絶対属性情報である。
【００３８】
操作者が、例えば、探したい書籍の名称を検索条件としてパソコンに入力すると、その検索条件が書籍管理ＤＢ１９に送られて、次のステップＳ５０３で検索処理を実行する。次のステップＳ５０４で検索結果が１つあるいは０であるかチェックされ、１つであれば次のステップＳ５０５でその検索結果の１件をパソコンの画面に表示する。この検索結果にはどのフロアのどの本棚のどの棚にあるか表示される。一方、検索結果が０であれば、その旨、たとえば「該当する書籍が見当たりません。」と表示画面に表示される。
【００３９】
もし、検索の結果、条件を満す書籍が２件以上ある場合には、ステップＳ５０６でその旨表示して、検索条件の追加を求める。この追加条件が入力されたか、ステップＳ５０７でチェックされ入力された場合には、ステップＳ５０３に戻って再び検索処理を行う。
【００４０】
追加条件が入力されなかったときにはステップＳ５０５に行き、ステップＳ５０５で検索結果が画面表示された後には、ステップＳ５０８において再度検索を行うか問い合わせる。操作者は再び検索を行いたい場合には再びステップＳ５０１に戻って検索のための初期画面を表示する。
【００４１】
なお、ステップＳ５０４で検索結果が複数の場合には、該当する複数の書籍すべての絶対属性情報を表示しその中から探したい書籍を選択させるようにし、その後選択された書籍の相対属性情報を検索結果として表示するようにすることもできる。
【００４２】
このようにすれば、追加条件を入力することなく、探したい書籍をすばやく探し出すことができる利点がある。
【００４３】
また、通常、上記のように書籍の検索条件として入力される属性は名称などの絶対属性情報であり、検索結果として表示される該当書籍の情報は、その書籍の置かれている本棚など、場所などの相対属性情報である。したがって、本発明の上記実施形態においては検索結果として少なくとも相対属性情報を表示すればよい。
【００４４】
また、各書籍が収納される階のレイアウト、各階の本棚の配置を予めパソコン１８に入力しておき、上記のようにして得られた該当書籍のある本棚及びその何段目にあるかを連動してパソコン１８の画面上に表示するようにすれば、書籍のありかを直感的に容易に理解できる効果が得られる。
【００４５】
次に、上記本発明の一実施形態における書籍の入庫、出庫の管理を行う場合の動作を説明する。
【００４６】
まずスタート（Ｓ６００）すると、ステップＳ６０１において入出庫登録の初期画面がパソコン１８に表示される。そこでダイポールアンテナ１６を入庫又は出庫する書籍に近づけて書籍無線タグに記憶されている書籍識別ＩＤを読み込む（ステップＳ６０２）。
【００４７】
次に、通信をキャンセルするかチェックされ（ステップＳ６０３）、通信を継続する場合には次のステップＳ６０４で、パソコン１８の画面上に当該書籍の書籍識別ＩＤを表示する。一方、通信などのエラーによりキャンセルし、再度作業を続ける場合には、ステップＳ６０５でステップＳ６０１に戻って再び初期画面を表示する。一方作業を中断する場合には、ステップＳ６０９に移る。
【００４８】
ステップＳ６０４で識別ＩＤが表示された後、ステップＳ６０６でその書籍の入庫処理あるいは出庫処理がなされ、ステップＳ６０７でその処理を書籍管理ＤＢ１９に登録するか問われる。
【００４９】
その処理が登録されることを操作者が希望する場合には、ステップＳ６０８でその書籍の入庫処理あるいは出庫処理が書籍管理ＤＢ１９に登録される。
【００５０】
この後、及び前記ステップＳ６０５で続けない場合及びステップＳ６０７で登録しない場合にはステップＳ６０９に移り、別の入出庫処理を行うか、たずねる。別の入出庫処理を行う場合には、再びステップＳ６０１に戻り初期画面を表示し同様にして入出庫処理を行う。一方、別の入出庫処理を行わない場合には、このすべての処理を終了する。
【００５１】
このようにして書籍の入庫及び出庫処理を行うことができる。
【００５２】
次に上記実施形態において、書籍の棚卸を行う場合の動作について図７を用いて説明する。
【００５３】
まずスタート（Ｓ７００）すると、ステップＳ７０１で棚卸のための初期画面を表示する。棚卸を行うときには、次のステップＳ７０２で、ダイポールアンテナで通信を行い、該当棚の棚卸の対象となる書籍に貼り付けられている書籍無線タグの識別ＩＤを一括して読み込み、ステップＳ７０３でそれらの棚卸対象書籍の識別ＩＤのリストをパソコン１８の画面上に表示する。
【００５４】
次に操作者は、パソコン１８にインストールしてある管理用ソフト基づき、書籍管理ＤＢ１９を調べて、過去の棚卸時に残っていた各棚の書籍と比較し各棚にあることになっている書籍と、実際に該当の棚にある書籍の照合を行い（ステップＳ７０５）、その結果をステップＳ７０５でパソコン１８の画面上に表示する。
【００５５】
比較した結果の情報は、ステップＳ７０６で問い合わせ、登録する場合には、ステップＳ７０７で書籍管理ＤＢ１９に登録する。このようにして棚卸の結果を登録した後及び、ステップＳ７０６で登録しない場合にはステップＳ７０８で別の棚卸を行うか問い合わせる。別の棚卸を行う場合には、再びステップＳ７０１に戻って初期画面を表示する。別の棚卸を行わない場合には、すべてを終了する。
【００５６】
このようにして一連の処理により、一定期間における在庫の状況の確認を行うことが可能となる。
【００５７】
この在庫情報の比較結果では、例えば第３者により書籍を前回の処理時にあった書棚から他の書棚に移された場合にも把握することが可能であり、元のあった場所に戻す運用も可能であるが、そのまま現在ある場所にその書籍を置き、そのままの状況を書籍管理ＤＢに保存管理することも可能となる。
【００５８】
本発明の上記実施形態では、リーダライタにＬＥＤやスピーカを設けていた。しかし本発明では、ＬＥＤやスピーカに限られず、応答時に光を発する発光体、あるいは音を発する音源であればよい。このように、応答時に光または音を発すれば、操作者に正確な処理状況を伝えることができる利点がある。
【００５９】
また上述のように、書籍に貼り付けられた書籍無線タグや棚無線タグとの送受信にダイポールアンテナ１６を用いると、この種のアンテナは、電波の送受信が無指向性であり、書籍１３や棚１２の所定箇所に貼り付けられている無線タグの通信には最も優れているので、容易に信号の送受信を行うことが可能となる。
【００６０】
また上記実施形態では、書籍に無線タグを貼り付けこの無線タグの識別ＩＤを用いてデータベース管理を行う場合について説明した。しかし無線タグを貼り付ける対象は書籍に限られず、書類、パンフレットなどでもよいし、プラスチック製、金属製のものなど紙でできたものに限られない。
【００６１】
上記実施形態では、パソコン及びこのパソコンに書籍管理ＤＢが接続される場合について説明したが、パソコンに限られずコンピュータであればよく、また上記データベースが外部に接続されることなく例えばこのコンピュータの中に入れられていてもよい。
【００６２】
また上記実施形態では、リーダライタはダイポールアンテナやパソコンとは別に設けられていたが、ダイポールアンテナやパソコンに内蔵させるようにすることも可能である。
【００６３】
上記実施形態では、書籍などの対象物たる物品自体に無線タグが固着される場合について述べた。このようにした場合には、データベースあるいは無線タグに書き込まれる情報は、上述のように、通常、絶対属性情報と相対属性情報に分けられる。
【００６４】
しかし、ある書類などが入れられるホルダーたる容器に、無線タグを固着するようにしてこのホルダーを所定の棚に置く場合のように物品を入れた容器に第１の無線タグを付けるようにして本発明を適用することが可能である。
【００６５】
例えば、図８に示すように、医療施設で用いられるレントゲン写真用袋８１に、無線タグ８２を貼り付け、このようなレントゲン写真用袋８１を所定の棚に置く場合もある。このような場合には、無線タグ８２には、この袋自体の属性示す絶対属性情報もあるが、どの棚に置かれているかを示す場所の相対属性情報の他に、この袋の中に入れられている内容を示す相対属性情報が重要となり、このような相対属性情報のみが無線タグ８２に記憶される場合もある。このような場合には、中に入れられるレントゲン写真が変えられるとそれにしたがって無線タグ８２に記憶される属性情報も書き換えられることになる。
【００６６】
更に、上述のようなレントゲン写真袋の複数個をフォルダボックスに入れる場合もある。この場合にはフォルダボックスが容器となり、これに第１の無線タグを付けられることになる。
【００６７】
ところで、上述の実施形態では、１つのリーダライタに１つのダイポールアンテナを用いて、本及び本棚に付された無線タグと送受信を行う場合について説明した。
【００６８】
しかし、本発明は１つのリーダライタを用いる場合に限られず、複数の本棚が広い範囲に設けられているような場合には、複数箇所にリーダライタを設置し、それらのリーダライタに接続された複数のダイポールアンテナを用い、あるいは、それらのリーダライタに接続された複数のコネクタにダイポールアンテナを接続可能とすることができる。
【００６９】
図９に、複数のリーダライタを設置する本発明の他の実施形態の構成例を示す。この例では、書籍管理ＤＢ９１に接続されたパソコン９２に、分岐機能を有する接続器９３を介して複数のリーダライタ９４が接続され、これらのリーダライタ９４各々に、複数のダイポールアンテナ１６が接続されている。したがって、各書籍の無線タグに付された情報や棚に付された無線タグの情報を読み出す場合などには、その書籍や棚がある場所に最も近い場所に置かれているダイポールアンテナ１６を用いることができる。
【００７０】
このようにすれば、パソコンに接続されたリーダライタ及びダイポールアンテナを書籍のある場所に運んでいく必要がなく、容易に書籍は棚の無線タグと送受信を行うことができる利点がある。
【００７１】
また、本発明は図１０に示すように、構成することも可能である。即ち、この場合には、
書籍管理ＤＢ１０１に接続されたパソコン１０２に、分岐機能を有する接続器１０３を介して複数のリーダライタ１０４が接続され、これらのリーダライタ１０４各々に、アンテナコネクタ１０５が設置される。ダイポールアンテナ１６はこれらのアンテナコネクタ１０５に着脱可能とされている。
【００７２】
本発明のこの実施形態では、１つのダイポールアンテナ１６を持って、データの入出力を行いたい書籍や棚のある場所の近くに行き、その近くにあるアンテナコネクタ１０５に、持参したダイポールアンテナ１６を差し込むことにより、近くにある棚及び書籍に付された無線タグと送受信を行うことが可能となる。
【００７３】
この実施形態によれば、書籍が多数の棚に置かれ、広い範囲に設置されていても、用いるアンテナは少なくて済み、全体として廉価なシステムを構築することができる利点がある。
【００７４】
なお、上述の実施形態において、書籍の無線タグや棚の無線タグにより読み出された情報を上記リーダライタに表示させるようにすることも可能である。その例を図１１に示す。この図において、リーダライタ１１１は棚１１２の中に書籍１１３と同様に収容できるようにされている。リーダライタ１１１のコネクタ部１１４にはダイポールアンテナ１６の端子を差し込めるようになっており、ダイポールアンテナ１６から情報を読み込んだときには、表示ランプ１１５が点灯し、その内容が表示部１１６に表示される、と共にスピーカ部１１７から情報読み込みはが完了したことを知らせる音を発する。１１８は電源スイッチであり、このリーダライタ１１１を使用しないときには、電源を切っておくことができる。
【００７５】
このようなリーダライタを用いれば、棚内に収容でき、しかも前方から無線タグの読み取った情報などを確認できる利点がある。
【００７６】
このリーダライタは図１０に示した構成の場合だけでなく、図９に示した構成の場合にも適用することが可能である。
【図面の簡単な説明】
【００７７】
【図１】本発明一実施形態の全体構成例を示す図。
【図２】本発明一実施形態におけるリーダライタの回路構成例を示す図。
【図３】本発明一実施形態において識別ＩＤに応じて属性を対応して入力する場合の動作を説明するための図。
【図４】本発明一実施形態の書籍管理ＤＢにおける各データの構成例を示す図。
【図５】本発明一実施形態において書籍を検索する場合の動作を説明するための図。
【図６】本発明一実施形態において書籍の入出庫処理を行う場合の動作を説明するための図。
【図７】本発明一実施形態において書籍の棚卸を行う場合の動作を説明するための図。
【図８】本発明の対象となる物品の他の例を説明するための図。
【図９】本発明他の実施形態の全体構成を示す図。
【図１０】本発明更に他の実施形態の全体構成を示す図。
【図１１】図１０に用いるリーダライタの構成例を示す図。
【符号の説明】
【００７８】
１１・・・本棚、
１２，１１２・・・棚、
１３，１１３・・・書籍、
１４・・・書籍無線タグ、
１５・・・棚無線タグ、
１６・・・ダイポールアンテナ、
１６ｃ・・・ケーブル、
１７，９４，１０４，１１１・・・リーダライタ、
１７ｃ・・・回路接合部、
１８，９２，１０２・・・パソコン、
１９，９１，１０１・・・書籍管理データベース（ＤＢ）、
２１・・・制御回路、
２２・・・送受信回路
２３・・・電源回路、
９３，１０３・・・接続器、
１０５・・・アンテナコネクタ、
１１４・・・コネクタ部
１１５・・・表示ランプ、
１１６・・・表示部、
１１７・・・スピーカ部、
１１８・・・電源スイッチ。
【図１】
2005350205.tif 000003
【図２】
2005350205.tif 000004
【図３】
2005350205.tif 000005
【図４】
2005350205.tif 000006
【図５】
2005350205.tif 000007
【図６】
2005350205.tif 000008
【図７】
2005350205.tif 000009
【図８】
2005350205.tif 000010
【図９】
2005350205.tif 000011
【図１０】
2005350205.tif 000012
【図１１】
2005350205.tif 000013